(57)【要約】【課題】予め音声通信を受信中の無線機の近くにいる別の無線機にて再生された音声により、音声を受信中の無線機の利用者の音声通信を聞き取り難くなることを防止する無線通信装置を提供する。【解決手段】本発明にかかる無線通信装置（１）は、音声信号を送信する送信部（４０）と、音声通信の発呼許可要求を受信する受信部（１０）と、無線機間の距離を取得する取得部（２０）と、送信部が第１の無線機へ音声信号を送信している間に、受信部が第３の無線機から第２の無線機への発呼許可要求を受信した場合、取得部（２０）が取得した第１の無線機と第２の無線機との距離に基づき、発呼許可要求に対して許可するか否かを判定する判定部（３０）と、送信部（４０）は更に、判定部（３０）が判定した内容を含む信号を第３の無線機へ送信することを特徴とする。【選択図】図２
2020137080.tif 000002
【特許請求の範囲】
【請求項１】
音声信号を送信する送信部と、
音声通信の発呼許可要求を受信する受信部と、
無線機間の距離を取得する取得部と、
前記送信部が第１の無線機へ音声信号を送信している間に、前記受信部が第３の無線機から第２の無線機への発呼許可要求を受信した場合、前記取得部が取得した前記第１の無線機と前記第２の無線機との距離に基づき、前記発呼許可要求に対して許可するか否かを判定する判定部と、を備え、
前記送信部は更に、前記判定部が判定した内容を含む信号を前記第３の無線機へ送信する、
ことを特徴とする無線通信装置。
【請求項２】
前記判定部は更に、前記送信部が第１の無線機へ音声信号を送信している間に、前記受信部が前記第３の無線機から前記第２の無線機への発呼許可要求を受信した場合、前記取得部が取得した距離に基づき、前記第２の無線機に対する音量制御の内容を判定し、
前記送信部は更に、前記判定部が判定した前記音量制御の内容を含む信号を前記第２の無線機へ送信する、
ことを特徴とする請求項１に記載の無線通信装置。
【請求項３】
音声信号を送信することと、
音声通信の発呼許可要求を受信することと、
無線機間の距離を取得することと、
第１の無線機へ音声信号を送信している間に、第３の無線機から第２の無線機への発呼許可要求を受信した場合、前記第１の無線機と前記第２の無線機との距離に基づき、前記発呼許可要求に対して許可するか否かを判定することと、
判定した内容を含む信号を前記第３の無線機へ送信することと、
を含む無線通信方法。
【発明の詳細な説明】
【技術分野】
【０００１】
本発明は無線通信装置に関し、特に、無線機による音声出力の音量を抑制する無線通信装置に関する。
【背景技術】
【０００２】
無線機による発呼を抑制する技術が知られている。特許文献１には、着信先の移動局の位置するエリアが音声着信不可エリアである場合に、音声による着信を許容していない旨を発信元の移動局に通知する技術が開示されている。
【先行技術文献】
【特許文献】
【０００３】
【特許文献１】特開平１０−２３４０８２号公報
【発明の概要】
【発明が解決しようとする課題】
【０００４】
ある無線機が音声通信を受信し再生している際に、受信中の無線機の近くにいる他の無線機が新たに他の音声通信を受信し再生する場合、他の無線機にて再生された音声が受信中の無線機の利用者の音声通信を聞き取り難くすることが発生することがある。特許文献１では、予め設定された音声着信付加エリアに位置する移動局に対する発呼を制御することはできるが、音声通信を受信中の無線機を基準とした制御を行うことはできないという問題がある。
【０００５】
本発明は、このような問題点を解決するためになされたものであり、予め音声通信を受信中の無線機の近くにいる別の無線機にて再生された音声により、音声を受信中の無線機の利用者の音声通信を聞き取り難くなることを防止する無線通信装置を提供することを目的とする。
【課題を解決するための手段】
【０００６】
そこで、本発明は、音声信号を送信する送信部と、音声通信の発呼許可要求を受信する受信部と、無線機間の距離を取得する取得部と、前記送信部が第１の無線機へ音声信号を送信している間に、前記受信部が第３の無線機から第２の無線機への発呼許可要求を受信した場合、前記取得部が取得した前記第１の無線機と前記第２の無線機との距離に基づき、前記発呼許可要求に対して許可するか否かを判定する判定部とを備え、前記送信部は更に、前記判定部が判定した内容を含む信号を前記第３の無線機へ送信することを特徴とする無線通信装置を提供する。
【０００７】
また、本発明は、音声信号を送信することと、音声通信の発呼許可要求を受信することと、無線機間の距離を取得することと、第１の無線機へ音声信号を送信している間に、第３の無線機から第２の無線機への発呼許可要求を受信した場合、前記第１の無線機と前記第２の無線機との距離に基づき、前記発呼許可要求に対して許可するか否かを判定することと、判定した内容を含む信号を前記第３の無線機へ送信することとを含む無線通信方法を提供する。
【発明の効果】
【０００８】
本発明により、予め音声通信を受信中の無線機の近くにいる別の無線機にて再生された音声により、音声を受信中の無線機の利用者の音声通信を聞き取り難くなることを防止する無線通信装置を提供できる。
【図面の簡単な説明】
【０００９】
【図１】実施の形態１にかかる無線システムの構成例を示す模式図である。
【図２】実施の形態１にかかる無線通信装置の構成例を示すブロック図である。
【図３】無線通信装置１の動作を示すフローチャートである。
【図４】実施の形態１にかかる無線システムの動作を説明するための図である。
【図５】実施の形態１にかかる無線システムの処理の流れを示すシーケンス図である。
【図６】実施の形態２にかかる無線システムの動作を説明するための図である。
【図７】実施の形態２にかかる無線システムの処理の流れを示すシーケンス図である。
【発明を実施するための形態】
【００１０】
以下、図面を参照して本発明の実施の形態について説明する。各図面において、同一又は対応する要素には同一の符号が付されており、説明の明確化のため、必要に応じて重複説明は省略される。
【００１１】
[実施の形態１]
まず、図１の模式図を用いて、本実施の形態１にかかる無線システム１ＳＹの構成について説明する。図１に示すように、無線システム１ＳＹは、無線通信装置１と、無線機Ａ１００と、無線機Ｂ２００と、無線機Ｃ１０１と、無線機Ｄ１０２と、無線機Ｅ１０５と、記憶部５００と、を備えている。なお、無線システム１ＳＹは、例えば、業務用無線システムであるが、これに限らない。無線システム１ＳＹは、例えば携帯電話回線等を用いた無線通信システムであってもよい。
【００１２】
無線通信装置１は、無線機Ａ１００、無線機Ｂ２００、無線機Ｃ１０１、無線機Ｄ１０２、及び無線機Ｅ１０５のそれぞれと無線通信を行うことができる装置である。すなわち、無線通信装置１と、無線機Ａ１００、無線機Ｂ２００、無線機Ｃ１０１、無線機Ｄ１０２、及び無線機Ｅ１０５とは、それぞれ無線通信によって接続されている。そして、無線通信装置１は、各無線機の制御をおこない、ある無線機から受信した音声通信を中継して他の無線機に送信することができる装置である。無線通信装置１は、例えば、基地局、リピータ（Repeater）等である。
【００１３】
無線機Ａ１００、無線機Ｂ２００、無線機Ｃ１０１、無線機Ｄ１０２、及び無線機Ｅ１０５は、無線通信装置１を介して無線通信を行うことができる装置である。なお、無線機Ａ１００、無線機Ｂ２００、無線機Ｃ１０１、無線機Ｄ１０２、及び無線機Ｅ１０５には自身を特定する固有の識別番号であるＵｎｉｔ ＩＤ（以下、ＵＩＤと呼ぶ）が付与されている。無線機Ａ１００、無線機Ｂ２００、無線機Ｃ１０１、無線機Ｄ１０２、無線機Ｅ１０５のＵＩＤは、それぞれ、１００＿ＵＩ、２００＿ＵＩ、１０１＿ＵＩ、１０２＿ＵＩ、１０５＿ＵＩとする。なお、各無線機は、自機の位置を検出する手段を備える。自機の位置を検出する手段は、例えば衛星等からの信号により自機の位置を測位するものであるが、これに限らない。自機の位置を検出する手段は、周知の位置検出技術のいずれにより構成されてもよい。各無線機は、ＵＩＤと自機の位置情報を無線通信装置１に送信する。
【００１４】
無線機Ｃ１０１のことを第１の無線機１０１、無線機Ｄ１０２のことを第２の無線機１０２、無線機Ａ１００のことを第４の無線機１００、無線機Ｂ２００のことを第３の無線機２００、無線機Ｅ１０５のことを第５の無線機１０５とも呼ぶ。
【００１５】
記憶部５００は、無線通信装置１によるアクセスが可能な記憶媒体である。ここでは記憶部５００が無線通信装置１に接続されている状態について説明するが、無線通信装置１が基地局である場合には、記憶部５００は無線通信装置１の内部に備えられる構成であってもよい。また、記憶部５００は、無線通信装置１との間に無線通信を行う無線機のＵＩＤと位置情報とを対応付けて記憶テーブルに記憶する。また、記憶部５００は、音声通信を送信中の発呼先の無線機のＵＩＤを別の記憶テーブルに記憶する。
【００１６】
続いて、図２のブロック図を用いて、本実施の形態１にかかる無線通信装置１の構成について説明する。本実施の形態１にかかる無線通信装置１は、受信部１０と、取得部２０と、判定部３０と、送信部４０と、を備えており、外部にある記憶部５００と接続している。
【００１７】
受信部１０は、ＵＩＤと位置情報とを各無線機から受信する。そして、受信部１０は、受信したＵＩＤと位置情報を記憶部５００へ出力する。また、受信部１０は、発呼先の無線機のＵＩＤを含む音声通信発呼許可要求信号と音声通信発呼終了通知信号とを発呼元の無線機から受信する。そして、受信部１０は、受信した音声通信発呼許可要求信号と音声通信発呼終了通知信号とを判定部３０へ出力する。更に、受信部１０は、発呼元の無線機から音声通信を受信し、受信した音声通信を送信部４０へ出力する。
【００１８】
取得部２０は、無線通信によって無線通信装置１と接続された全ての無線機の位置情報を記憶部５００から取得し、取得した無線機の位置情報から複数の無線機の間の距離を算出する。例えば、取得部２０は、内部に備えられたＣＰＵ（Central Processing Unit）等がプログラムを実行することにより、複数の無線機の間の距離を算出し、算出した距離情報を判定部３０へ出力する。
【００１９】
判定部３０は、記憶部５００に音声通信を送信中の発呼先の情報を確認し、発呼先の情報が記憶されている場合には、その発呼先の無線機のＵＩＤを取得する。また、判定部３０は、受信部１０から、発呼先の無線機のＵＩＤを含む音声通信発呼許可要求信号を取得する。更に、判定部３０は、取得した音声通信を送信中の発呼先の無線機のＵＩＤと取得した音声通信発呼許可要求の発呼先のＵＩＤに基づいて、取得部２０から音声通信発呼許可要求の発呼先の無線機と予め音声通信を送信中の発呼先の無線機との間の距離情報を受け取る。更に、判定部３０は、受け取った距離が内部に記憶された所定距離以内か否かに基づいて、音声通信発呼許可要求に対して音量制御の内容の判定と発呼を許可するか否かの判定をおこなう。
【００２０】
具体的には、判定部３０は、受信部１０から音声通信発呼許可要求信号を受け取ったとき、音声通信発呼許可要求の発呼先の無線機と予め音声通信を送信中の発呼先の無線機との間の距離情報と内部に記憶された所定距離に基づいて、音声通信発呼許可要求の発呼先の無線機と予め音声通信を送信中の発呼先の無線機との間の距離が所定距離以内の場合には、音声通信発呼許可要求の発呼先の無線機に対して音量を制御すると判定し、音声通信発呼許可要求の発呼元の無線機に対して発呼を許可すると判定する。また、距離が所定距離以内でない場合には、音声通信発呼許可要求の発呼先の無線機に対して音量を制御しないと判定し、音声通信を送信中の発呼先の無線機のＵＩＤとして、音声通信発呼許可要求の発呼先の無線機のＵＩＤを記憶部５００へ記憶し、更に、音声通信発呼許可要求の発呼元の無線機に対して発呼を許可すると判定する。そして、判定部３０は、音声通信発呼許可要求に対する判定結果として、発呼先の無線機に対する音量を制御する判定と、発呼元の無線機に対する発呼を許可する判定とを、送信部４０へ出力する。例えば、判定部３０の処理は、内部に備えられたＣＰＵ等がプログラムを実行することによって実現できる。
【００２１】
送信部４０は、判定結果を判定部３０から受け取る。そして、送信部４０は、判定結果に従って、音声通信発呼許可要求の発呼先の無線機に対して判定した音量制御の内容を含む信号、すなわち、音声再生の音量を制御する音量レベル制御通知信号を含む信号を送信し、音声通信発呼許可要求の発呼元の無線機に対して判定した内容を含む信号、すなわち発呼許可を含む信号を送信する。また、送信部４０は、受信部１０から受け取った発呼元の無線機の音声通信を中継し、発呼先の無線機へ音声通信を送信する。
【００２２】
無線通信装置１は、上述した構成を備えることにより、音声通信をおこなっている無線機のうち、送信先である無線機との距離が所定の距離以内である他の無線機に対して新たに他の音声通信の送信をおこなう場合、他の音声通信で再生する音声の音量を制御することができる。これにより、音声通信をおこなっている無線機の利用者の音声通信の聞き取りを妨げず、同時に別の無線機の音声通信の音声の再生を可能にすることができる。
【００２３】
ここで、無線通信装置１の動作について図３を用いて説明する。
【００２４】
受信部１０において音声通信発呼許可要求信号を受信すると、音声通信発呼許可要求信号と音声通信発呼許可要求信号を発呼した発呼元の無線機のＵＩＤ及び発呼先の無線機のＵＩＤとが判定部３０に送られる(ステップＳ１０)。
【００２５】
判定部３０では、取得部２０経由で記憶部５００に対して音声通信を送信中の無線機の有無の確認をおこなう (ステップＳ１１)。
【００２６】
ステップＳ１１で、音声通信を送信中の無線機がない場合（Ｎｏ）、判定部３０は音声通信発呼許可要求の発呼先の無線機のＵＩＤを記憶部５００に記憶する(ステップＳ１２)。
【００２７】
音声通信発呼許可要求の発呼先の無線機のＵＩＤを記憶部５００に記憶するとともに、判定部３０は送信部４０から音声通信発呼許可要求をおこなった無線機に対して音声通信発呼許可信号を送信する(ステップＳ１３)。これにより、音声通信が開始される。
【００２８】
ステップＳ１１で、音声通信を送信中の無線機がある場合（Ｙｅｓ）、判定部３０では、取得部２０に対して記憶部５００から音声通信を送信中の発呼先の無線機のＵＩＤと音声通信発呼許可要求の発呼先の無線機のＵＩＤを元に、それぞれの無線機の位置情報を取得させると共に、取得したそれぞれの無線機の位置情報をもとに無線機間の距離を算出させる(ステップＳ１４)。
【００２９】
判定部３０は、取得部２０で算出された距離と判定部３０内に記憶された所定の距離とを比較し、取得部２０で算出された距離が所定距離以内か否かを判定する(ステップＳ１５)。
【００３０】
ステップＳ１５で、取得部２０で算出された距離が所定距離以内でない場合（Ｎｏ）、判定部３０は音声通信発呼許可要求の発呼先の無線機のＵＩＤを記憶部５００の記憶を書き換える(ステップＳ１２)。更に、判定部３０は送信部４０に対して音声通信発呼許可要求をおこなった無線機に対して音声通信発呼許可信号を送信させる(ステップＳ１３)。
【００３１】
ステップＳ１５で、取得部２０で算出された距離が所定距離以内である場合（Ｙｅｓ）、判定部３０は、送信部４０に対して音声通信発呼許可要求の発呼先の無線機に音量レベル制御通知信号を送信させ、音声通信発呼許可要求の発呼先の無線機の音量を所定のレベルに低下させる。(ステップＳ１６)
更に、判定部３０は、送信部４０に対して音声通信発呼許可要求をおこなった無線機に音声通信発呼許可信号を送信させる(ステップＳ１７)。
【００３２】
続いて、図４及び図５を用いて、実施の形態１の動作について詳細に説明する。なお、図４及び図５において、同じステップ番号では同じ処理が実行される。
【００３３】
本実施の形態１では、無線通信装置１を経由して第４の無線機１００が第１の無線機１０１を発呼先として音声通信を行い、更に、第３の無線機２００が第２の無線機１０２を発呼先として音声通信発呼許可要求を行う場合について説明する。
【００３４】
各無線機は、電源がオンされると定期的に自身の位置情報を取得し、取得した位置情報と自身を特定するＵＩＤとを無線通信装置１へ送信する（ステップＳ１０１）。なお、位置情報は、ここでは緯度・経度情報とする。
【００３５】
無線通信装置１の受信部１０は、各無線機から位置情報及びＵＩＤを受信すると、受信した位置情報とＵＩＤを記憶部５００へ出力する。そして、記憶部５００では、各無線機の位置情報及びＵＩＤを関連付けてテーブル５０１へ記憶する（ステップＳ１０２）。なお、記憶部５００のテーブル５０１は、各無線機のＵＩＤと最新の位置情報とを関連付けて記憶するテーブルである。また、テーブル５０１は、最新の情報に定期的に書き換えられる。
【００３６】
はじめに、第４の無線機１００の利用者は、第１の無線機１０１と音声通信を行うため、第１の無線機１０１のＵＩＤ（１０１＿ＵＩ）を入力後、図示しないＰＴＴ（Push to Talk）ボタンを押下する。ここでいう音声通信は、例えば個別音声通信とする。第４の無線機１００は、ＰＴＴボタンを押下されると、発呼先である第１の無線機１０１のＵＩＤ（１０１＿ＵＩ）を含む音声通信発呼許可要求信号を無線通信装置１へ送信する。送信された発呼先の第１の無線機１０１のＵＩＤ（１０１＿ＵＩ）を含む音声通信発呼許可要求信号は、無線通信装置１の受信部１０で受信される。そして、受信された発呼先の第１の無線機１０１のＵＩＤ（１０１＿ＵＩ）を含む音声通信発呼許可要求は、判定部３０へ出力される（ステップＳ１０３）。
【００３７】
次に、無線通信装置１の判定部３０は、取得部２０を経由して音声通信を送信中の発呼先の無線機のＵＩＤが記憶部５００のテーブル５０２に記憶されているか否かを確認する。この段階では、音声通信を送信中の無線機は存在しないため、記憶部５００のテーブル５０２には音声通信を送信中の発呼先の無線機のＵＩＤは記憶されていない。この結果、無線通信装置１の判定部３０は、音声通信を送信中の無線機は無いと判断する。（ステップＳ１０４）。
【００３８】
次に、無線通信装置１の判定部３０は、ステップＳ１０３で入力された音声通信発呼許可要求に含まれる第１の無線機１０１のＵＩＤ（１０１＿ＵＩ）を記憶部５００のテーブル５０２へ記憶する（ステップＳ１０５）。なお、テーブル５０２は、音声通信を送信中の発呼先の無線機のＵＩＤを記憶するテーブルである。すなわち、無線通信装置１の判定部３０は、テーブル５０２に無線機のＵＩＤが記憶されている間は、記憶されたＵＩＤの無線機に対して音声通信を送信していることを認識する。
【００３９】
次に、無線通信装置１の判定部３０は、第４の無線機１００の音声通信発呼許可要求に対して発呼を許可すると判断し、送信部４０を経由して第４の無線機１００へ音声通信発呼許可信号を送信する（ステップＳ１０６）。
【００４０】
次に、第４の無線機１００は、音声通信発呼許可信号を受信すると、音声通信の発呼を開始する（ステップＳ１０７）。
【００４１】
音声通信の発呼が開始されると、無線通信装置１の受信部１０は、音声通信信号を受信し、受信した音声通信信号を送信部４０へ出力する。そして、無線通信装置１の送信部４０は、受け取った音声通信信号を第１の無線機１０１へ中継する（ステップＳ１０８）。
【００４２】
次に、第４の無線機１００が第１の無線機１０１に対して音声通信をおこなっている状態で、第３の無線機２００が第２の無線機１０２と音声通信を開始する動作について説明する。
【００４３】
第３の無線機２００の利用者は、第２の無線機１０２と音声通信を行うため、第２の無線機１０２のＵＩＤ（１０２＿ＵＩ）を入力後、図示しないＰＴＴ（Push to Talk）ボタンを押下する。ここでいう音声通信は、例えば個別音声通信とする。第３の無線機２００は、ＰＴＴボタンを押下されると、発呼先の第２の無線機１０２のＵＩＤ（１０２＿ＵＩ）を含む音声通信発呼許可要求信号を無線通信装置１へ送信する。無線通信装置１の受信部１０は、発呼先の第２の無線機１０２のＵＩＤ（１０２＿ＵＩ）を含む音声通信発呼許可要求信号を受信すると、ＵＩＤ（１０２＿ＵＩ）を含む音声通信発呼許可要求を判定部３０へ出力する（ステップＳ１０９）。
【００４４】
次に、無線通信装置１の判定部３０は、取得部２０を経由して音声通信を送信中の発呼先の無線機のＵＩＤが記憶部５００のテーブル５０２に記憶されているか否かを確認する。テーブル５０２には予め音声通信を送信中の発呼先の無線機のＵＩＤとして１０１＿ＵＩが記憶されていることから、音声通信を送信中であると判断する（ステップＳ１１０）。
【００４５】
音声通信を送信中であると判断すると、無線通信装置１の判定部３０は、取得部２０に対し、記憶部５００のテーブル５０１を参照して、音声通信を送信中である第１の無線機１０１のＵＩＤ（１０１＿ＵＩ）と関連付けられた位置情報（地点Ｃ）と音声通信発呼許可要求の発呼先である第２の無線機１０２のＵＩＤ（１０２＿ＵＩ）と関連付けられた位置情報（地点Ｄ）を取得させ、取得させた位置情報から第１の無線機１０１と第２の無線機１０２との間の距離を算出させ、算出させた距離を受け取る。そして、無線通信装置１の判定部３０は、受け取った第１の無線機１０１と第２の無線機１０２との間の距離が判定部３０に記憶された所定距離以内か否かに基づいて、音量レベル制御判定と発呼許可判定をおこなう。なお本実施の形態１における所定距離は１０ｍとする。本実施の形態１では、図４に示すように、第１の無線機１０１と第２の無線機１０２との距離は１０ｍ以内である。このため、無線通信装置１の判定部３０は、第１の無線機１０１と第２の無線機１０２との距離は所定距離以内であると判断する。この結果、無線通信装置１の判定部３０は、第２の無線機１０２に対して音声再生の音量を制御する必要があると判定し、第３の無線機２００の音声通信発呼許可要求に対して発呼許可と判定する（ステップＳ１１１）。そして、無線通信装置１の判定部３０は、第２の無線機１０２に対する音量制御の判定結果信号と、第３の無線機２００の音声通信発呼許可要求に対する発呼許可信号を送信部４０へ出力する。
【００４６】
次に、無線通信装置１の送信部４０は、第２の無線機１０２の音量を制御する信号である音量レベル制御通知信号を第２の無線機１０２へ送信する（ステップＳ１１２）。音量レベル制御通知信号を受信すると、第２の無線機１０２は、例えば、画面に表示、照明の点灯、ビープ音を鳴らす等により、音声再生の音量を制御することを第２の無線機１０２の利用者に伝えると共に、第２の無線機１０２は、予め設定された低い音量で音声通信を再生する。
【００４７】
第２の無線機１０２は、音声再生の音量を制御する信号を受信することにより、第３の無線機２００との音声通信による音声再生の音量を制御する。具体的には、音声再生の音量を低く設定して再生する。なお、音量を制御する方法は、例えば、送信部４０から予め判定部３０に設定された音量設定値信号を送信し、第２の無線機１０２では受信した音量設定値信号に従って音量を設定する。また、音量を制御する方法は、例えば、送信部４０から音量を制御する通知を送信し、第２の無線機１０２では予め第２の無線機１０２内に設定された音量データに従って音量を設定する。なお、音量を制御する方法は、これに限られない。音量を制御する方法は、周知の音量を制御する技術を使用しても良い。
【００４８】
次に、無線通信装置１の送信部４０は、音声通信発呼許可信号を第３の無線機２００へ送信する（ステップＳ１１３）。
【００４９】
第３の無線機２００は、音声通信発呼許可信号を受信すると、音声通信の発呼を開始する（ステップＳ１１４）。
【００５０】
第３の無線機２００の発呼が開始されると、無線通信装置１の受信部１０は、第３の無線機２００から音声通信信号を受信し、受信した音声通信信号を送信部４０へ出力する。そして、無線通信装置１の送信部４０は、受け取った音声通信信号を第２の無線機１０２へ中継する（ステップＳ１１５）。
【００５１】
なお、ステップＳ１０９において、無線通信装置１が、第５の無線機１０５を発呼先とした音声通信発呼許可要求信号を受信した場合について説明する。第５の無線機１０５は、図４に示すように、第１の無線機１０１の位置との距離が、所定距離（１０ｍ）以内ではない。この結果、無線通信装置１は、音声再生の音量を制御する信号である音量レベル制御通知信号を第５の無線機１０５に送信しない。これにより、第５の無線機１０５は音声再生の音量を制御することなく音声通信を再生する。
【００５２】
次に、第４の無線機１００の利用者が第１の無線機１０１への発呼を終了する場合、図示しないＰＴＴ（Push to Talk）ボタンを開放する。第４の無線機１００は、ＰＴＴ（Push to Talk）ボタンが開放されると、発呼先の第１の無線機１０１のＵＩＤ（１０１＿ＵＩ）を含む音声通信発呼終了通知信号を無線通信装置１へ送信する（ステップＳ１１６）。すなわち、無線通信装置１の受信部１０は、発呼先の第１の無線機１０１のＵＩＤ（１０１＿ＵＩ）を含む音声通信発呼終了通知信号を第４の無線機１００から受信する。そして、無線通信装置１の受信部１０は、音声通信発呼許可終了通知を判定部３０へ出力する。
【００５３】
次に、無線通信装置１の判定部３０は、音声通信発呼終了通知信号を受け取ると、ステップＳ１０３の音声通信発呼許可要求により開始された音声通信発呼が終了したと判断し、記憶部５００のテーブル５０２に音声通信を送信中の発呼先の無線機のＵＩＤとして記録されている１０１＿ＵＩをクリアする（ステップＳ１１７）。その結果、無線通信装置１は、記憶部５００のテーブル５０２に記憶された無線機のＵＩＤをクリアしたことにより、記憶されていたＵＩＤの無線機に対する音声通信の送信が終了したことを認識する。
【００５４】
なお、第２の無線機１０２が音声再生の音量を制御している間に、第１の無線機１０１への音声通信が終了した場合、無線通信装置１の判定部３０は、記憶部５００のテーブル５０２に音声通信を送信中の発呼先の無線機のＵＩＤが記録されていないことを確認し、第２の無線機１０２のＵＩＤ（１０２＿ＵＩ）を記憶部５００のテーブル５０２へ記憶する。そして、無線通信装置１の判定部３０は、第２の無線機１０２に対して音量の制御を中止する音量レベル制御中止信号を送信部４０を経由して送信する。音量レベル制御中止信号受信すると、第２の無線機１０２は、例えば、画面に表示、照明の点灯、ビープ音を鳴らす等により、音量の制御を中止することを第２の無線機１０２の利用者に伝えると共に、第２の無線機１０２は、制御されない所定の音量で音声通信を再生する。
【００５５】
上記ステップＳ１０１〜Ｓ１１７により、図５に示す音声通信音量レベル制御期間において、音声通信の音声再生の音量が制御される。
【００５６】
これにより、本実施の形態１にかかる無線通信装置１では、第１の無線機１０１に対して音声通信を送信している間は、第１の無線機１０１との距離が所定距離以内の無線機に対する音声通信の音声再生の音量を制御することができる。これにより、無線通信装置１は、第１の無線機１０１の利用者の音声通信の音声の聞き取りを妨げず、同時に第２の無線機１０２の音声通信の音声の再生を可能にする。
【００５７】
なお、無線通信装置１は、各無線機の音声再生の音量情報と位置情報を受信し、この音量情報と位置情報に基づいて音声再生の音量を制御するか否かを判定する所定距離を変化させるようにしてもよい。この場合、無線通信装置１は、各無線機から位置情報及びＵＩＤとともに音声再生の音量情報を定期的に受信し、記憶部５００のテーブル５０１へ記憶する。また、無線通信装置１の判定部３０は、各無線機の音声再生の音量情報を用いて音声再生の音量を制御するか否かを判定する所定距離を変化させる。例えば、音声通信を送信中の第１の無線機１０１の音声再生の音量が大きくなるほど、音量を制御するか否かを判定する所定距離の値を小さくし、音声通信を送信中の第１の無線機１０１の音声再生の音量が小さくなるほど、音量を制御するか否かを判定する所定距離の値を大きくする。これにより、各無線機の音声再生の音量に応じて、音声再生の音量を制御するか否かを判定する所定距離を変化させ、音声通信を送信している無線機の所定距離以内の無線機に対する音声通信の音声再生の音量を制御することができる。なお、以下に説明する他の実施の形態にも各無線機の音声再生の音量に基づく制御を適用することができる。
【００５８】
なお、無線通信装置１は、各無線機の音声再生の音量情報を受信し、この音量情報に基づいて音声再生の音量を制御する音量レベルを変化するようにしてもよい。この場合、無線通信装置１は、各無線機から位置情報及びＵＩＤとともに音声再生の音量情報を定期的に受信し、記憶部５００のテーブル５０１へ記憶する。また、無線通信装置１の判定部３０は、各無線機の音声再生の音量情報を用いて音声再生の音量を制御する音量レベルを変化させる。例えば、音声通信を送信中の第１の無線機１０１の音声再生の音量に対して、第２の無線機１０２の音声再生の音量を制御する音量レベルの値を所定の値分小さく設定する。また、音声通信を送信中の第１の無線機１０１の音声再生の音量が大きくなるほど、第２の無線機１０２の音声再生の音量を制御する音量レベルの値を大きく設定し、音声通信を送信中の第１の無線機１０１の音声再生の音量が小さくなるほど、第２の無線機１０２の音声再生の音量を制御する音量レベルの値を小さく設定する。これにより、各無線機の音声再生の音量に応じて、音声再生の音量を制御する音量レベルを変化させ、音声通信を送信している無線機の所定距離に以内の無線機に対する音声通信の音声再生の音量を制御することができる。なお、以下に説明する他の実施の形態にも各無線機の音声再生の音量に基づく制御を適用することができる。
【００５９】
なお、無線通信装置１は、各無線機の位置情報に基づいて、音声再生の音量を制御しない位置を案内するようにしてもよい。この場合、無線通信装置１は、判定部３０により、音声再生の音量を制御しない位置の案内に、記憶部５００のテーブル５０１に記憶された各無線機の位置情報と所定距離を用いる。例えば、無線通信装置１は、各無線機の位置情報と所定距離に基づいて、音声再生の音量を制御しない位置までの距離と方角を算出し、無線機に案内するようにしてもよい。具体的には、第１の無線機１０１の位置と第２の無線機１０２の位置との距離と方角を算出し、更に、所定距離以外となる最も近い位置までの距離と方角を算出する。また、所定距離以外となる最も近い位置までの距離と方角の情報を、第２の無線機１０２に送信するようにしてもよい。これにより、音声再生の音量を制御する無線機に対して、音声再生の音量を制御しない位置を案内することができる。なお、以下に説明する他の実施の形態にも音声再生の音量を制御しない位置の案内を適用することができる。
【００６０】
[実施の形態２]
続いて、実施の形態２について説明する。本実施の形態２の無線システム１ＳＹＡは、無線通信装置１Ａと、無線機Ａ１００と、無線機Ｂ２００と、無線機Ｃ１０１と、無線機Ｄ１０２と、無線機Ｅ１０５と、記憶部５００Ａと、を備えている。なお、無線システム１ＳＹＡの構成は、図１の無線システム１ＳＹの構成と同様であり、図示および説明を省略し実施の形態1との相違点について説明する。
【００６１】
本実施の形態２では、無線機Ａ１００、無線機Ｂ２００、無線機Ｃ１０１、無線機Ｄ１０２、及び無線機Ｅ１０５には、複数の無線機が属するＧｒｏｕｐ  ＩＤ（ＧＩＤ）が設定されているものとする。無線機Ａ１００、及び無線機Ｃ１０１で構成される第１の無線機グループのＧＩＤを３００＿ＧＩ、無線機Ｂ２００、無線機Ｄ１０２、及び無線機Ｅ１０５で構成される第２の無線機グループのＧＩＤを４００＿ＧＩとする。
【００６２】
本実施の形態２では、記憶部５００Ａに、無線通信装置１Ａとの間で無線通信を行う無線機のＵＩＤと、無線機が属するＧＩＤと、位置情報とを対応付けて記憶テーブルに記憶する。また、記憶部５００Ａは、グループ音声通信を送信中の発呼先の無線機グループのＧＩＤを別の記憶テーブルに記憶する。
【００６３】
続いて、無線通信装置１Ａの構成について説明する。無線通信装置１Ａは、受信部１０Ａと、取得部２０Ａと、判定部３０Ａと、送信部４０Ａと、を備えており、外部にある記憶部５００Ａと接続している。なお、無線通信装置１Ａの構成は、図２の無線通信装置１の構成と同様であり、図示および説明を省略し実施の形態1との相違点について説明する。
【００６４】
本実施の形態２では、受信部１０Ａは、ＵＩＤとＧＩＤと位置情報とを各無線機から受信する。そして、受信部１０Ａは、受信したＵＩＤとＧＩＤと位置情報を記憶部５００Ａへ出力する。また、受信部１０Ａは、発呼先の無線機グループのＧＩＤを含むグループ音声通信発呼許可要求信号とグループ音声通信発呼終了通知信号とを発呼元の無線機から受信する。そして、受信部１０Ａは、受信したグループ音声通信発呼許可要求信号とグループ音声通信発呼終了通知信号とを判定部３０Ａへ出力する。また、受信部１０Ａは、発呼先の無線機のＵＩＤを含む音声通信発呼許可要求信号を発呼元の無線機から受信する。そして、受信部１０Ａは、受信した音声通信発呼許可要求信号を判定部３０Ａへ出力する。更に、受信部１０Ａは、発呼元の無線機から音声通信を受信し、受信した音声通信を送信部４０Ａへ出力する。
【００６５】
本実施の形態２では、取得部２０Ａは、無線通信によって無線通信装置１Ａと接続された全ての無線機の位置情報を記憶部５００Ａから取得し、取得した無線機の位置情報から複数の無線機の間の距離を算出し、算出した距離情報を判定部３０Ａへ出力する。
【００６６】
本実施の形態２では、判定部３０Ａは、グループ音声通信を送信中の発呼先の無線機グループのＧＩＤとして、受信部１０Ａから受け取ったグループ音声通信発呼許可要求の発呼先の無線機グループのＧＩＤを記憶部５００Ａへ記憶し、更に、グループ音声通信発呼許可要求の発呼元の無線機に対して発呼を許可する。また、判定部３０Ａは、記憶部５００Ａにグループ音声通信を送信中の発呼先の情報を確認し、発呼先の情報が記憶されている場合には、その発呼先の無線機グループのＧＩＤを取得する。そして、判定部３０Ａは、受信部１０Ａから、発呼先の無線機のＵＩＤを含む音声通信発呼許可要求信号を取得する。更に、判定部３０Ａは、取得したグループ音声通信を送信中の発呼先の無線機のＧＩＤと取得した音声通信発呼許可要求の発呼先のＵＩＤに基づいて、取得部２０Ａから音声通信発呼許可要求の発呼先の無線機と予めグループ音声通信を送信中の発呼先の無線機グループに属する無線機との間の距離情報を受け取る。更に、判定部３０は、受け取った距離が内部に記憶された所定距離以内か否かに基づいて、音声通信発呼許可要求に対して音量制御の内容の判定と発呼を許可するか否かの判定とをおこなう。
【００６７】
具体的には、判定部３０Ａは、受信部１０Ａから音声通信発呼許可要求信号を受け取ったとき、音声通信発呼許可要求の発呼先の無線機と予めグループ音声通信を送信中の発呼先の無線機グループに属する無線機との間の距離情報と内部に記憶された所定距離に基づいて、音声通信発呼許可要求の発呼先の無線機と予めグループ音声通信を送信中の発呼先の無線機グループに属する無線機との間の距離が所定距離以内の場合には、音声通信発呼許可要求の発呼先の無線機に対して音量を制御すると判定し、音声通信発呼許可要求の発呼元の無線機に対して発呼を許可すると判定する。また、距離が所定距離以内でない場合には、音声通信発呼許可要求の発呼先の無線機に対して音量を制御しないと判定し、音声通信発呼許可要求の発呼元の無線機に対して発呼を許可すると判定する。そして、判定部３０Ａは、音声通信発呼許可要求に対する判定結果として、発呼先の無線機に対する音量を制御する判定と、発呼元の無線機に対する発呼を許可する判定とを、送信部４０Ａへ出力する。
【００６８】
本実施の形態２では、送信部４０Ａは、判定結果を判定部３０Ａから受け取る。そして、送信部４０Ａは、判定結果に従って、音声通信発呼許可要求の発呼先の無線機に対して判定した音量制御の内容を含む信号、すなわち、音声再生の音量を制御する音量レベル制御通知信号を含む信号を送信し、音声通信発呼許可要求の発呼元の無線機に対して判定した内容を含む信号、すなわち発呼許可を含む信号を送信する。また、送信部４０Ａは、受信部１０Ａから受け取った発呼元の無線機の音声通信を中継し、発呼先の無線機へ音声通信を送信する。
【００６９】
無線通信装置１Ａは、上述した構成を備えることにより、グループ音声通信をおこなっている無線機のうち、送信先である無線機との距離が所定の距離以内である他の無線機に対して新たに他の音声通信の送信をおこなう場合、他の音声通信で再生する音声の音量を制御することができる。これにより、グループ音声通信をおこなっている無線機グループに属する無線機の利用者の音声通信の聞き取りを妨げず、同時に別の無線機の音声通信の音声の再生を可能にすることができる。
【００７０】
無線通信装置１Ａの動作については、図３の無線通信装置１の動作についての説明と同様であり、図示及び説明を省略する。
【００７１】
続いて、図６及び図７を用いて、実施の形態２の動作について詳細を説明する。なお、図６及び図７において、同じステップ番号では同じ処理が実行される。
【００７２】
本実施の形態２では、無線通信装置１Ａを経由して第４の無線機１００が第１の無線機グループを発呼先としてクループ音声通信を行い、更に、第３の無線機２００が第２の無線機１０２を発呼先として音声通信発呼許可要求を行う場合について説明する。
【００７３】
各無線機は、電源がオンされると定期的に自身の位置情報を取得し、取得した位置情報と自身を特定するＵＩＤと無線機が属するＧＩＤとを無線通信装置１Ａへ送信する（ステップＳ２０１）。なお、ここでは、位置情報は、緯度・経度情報とする。
【００７４】
無線通信装置１Ａの受信部１０Ａは、各無線機から位置情報とＵＩＤとＧＩＤとを受信すると、受信した位置情報とＵＩＤとＧＩＤとを記憶部５００Ａへ出力する。そして、記憶部５００Ａでは、各無線機の位置情報とＵＩＤとＧＩＤとを関連付けてテーブル５０１Ａへ記憶する（ステップＳ２０２）。なお、記憶部５００Ａのテーブル５０１Ａは、各無線機のＵＩＤとＧＩＤと最新の位置情報とを関連付けて記憶するテーブルである。また、また、テーブル５０１Ａは、最新の情報に定期的に書き換えられる。
【００７５】
はじめに、第４の無線機１００の利用者は、第１の無線機グループとグループ音声通信を行うため、第１の無線機グループのＧＩＤ（３００＿ＧＩ）を入力後、図示しないＰＴＴ（Push to Talk）ボタンを押下する。第４の無線機１００は、ＰＴＴボタンを押下されると、発呼先である第１の無線機グループのＧＩＤ（３００＿ＧＩ）を含むグループ音声通信発呼許可要求信号を無線通信装置１Ａへ送信する。送信された発呼先の第１の無線機グループのＧＩＤ（３００＿ＧＩ）を含むグループ音声通信発呼許可要求信号は、無線通信装置１Ａの受信部１０Ａで受信される。そして、受信された発呼先の第１の無線機グループのＧＩＤ（３００＿ＧＩ）を含むグループ音声通信発呼許可要求は、判定部３０Ａへ出力される（ステップＳ２０３）。なお、本実施の形態２では、第１の無線機１０１と第４の無線機１００が第１の無線機グループに属している。
【００７６】
次に、無線通信装置１Ａの判定部３０Ａは、ステップＳ２０３で入力されたグループ音声通信発呼許可要求に含まれる第１の無線機グループのＧＩＤ（３００＿ＧＩ）を記憶部５００Ａのテーブル５０２Ａへ記憶する（ステップＳ２０４）。なお、テーブル５０２Ａは、グループ音声通信を送信中の発呼先の無線機グループのＧＩＤを記憶するテーブルである。すなわち、無線通信装置１Ａの判定部３０Ａは、テーブル５０２Ａに無線機グループのＧＩＤが記憶されている間は、記憶されたＧＩＤの無線機に対してグループ音声通信を送信していることを認識する。
【００７７】
次に、無線通信装置１Ａの判定部３０Ａは、第４の無線機１００のグループ音声通信発呼許可要求に対して発呼を許可すると判断し、送信部４０Ａを経由して第４の無線機１００に対してグループ音声通信発呼許可信号を送信する（ステップＳ２０５）。
【００７８】
次に、第４の無線機１００は、グループ音声通信発呼許可信号を受信すると、グループ音声通信の発呼を開始する（ステップＳ２０６）。
【００７９】
グループ音声通信の発呼が開始されると、無線通信装置１Ａの受信部１０Ａは、グループ音声通信信号を受信し、受信したグループ音声通信信号を送信部４０Ａへ出力する。そして、無線通信装置１Ａの送信部４０Ａは、受け取ったグループ音声通信信号を第１の無線機グループに属する無線機へ中継する（ステップＳ２０７）。
【００８０】
次に、第４の無線機１００が第１の無線機グループに対してグループ音声通信をおこなっている状態で、第３の無線機２００が第２の無線機１０２と音声通信を開始する動作について説明する。
【００８１】
第３の無線機２００の利用者は、第２の無線機１０２と音声通信を行うため、第２の無線機１０２のＵＩＤ（１０２＿ＵＩ）を入力後、図示しないＰＴＴ（Push to Talk）ボタンを押下する。ここでいう音声通信は、例えば個別音声通信とする。第３の無線機２００は、ＰＴＴボタンを押下されると、発呼先の第２の無線機１０２のＵＩＤ（１０２＿ＵＩ）を含む音声通信発呼許可要求信号を無線通信装置１Ａへ送信する。無線通信装置１Ａの受信部１０Ａは、発呼先の第２の無線機１０２のＵＩＤ（１０２＿ＵＩ）を含む音声通信発呼許可要求信号を受信すると、ＵＩＤ（１０２＿ＵＩ）を含む音声通信発呼許可要求を判定部３０Ａへ出力する（ステップＳ２０８）。
【００８２】
次に、無線通信装置１Ａの判定部３０Ａは、取得部２０Ａを経由してグループ音声通信を送信中の発呼先の無線機グループのＧＩＤが記憶部５００Ａのテーブル５０２Ａに記憶されているか否かを確認する。テーブル５０２Ａには予めグループ音声通信を送信中の発呼先の無線機グループのＧＩＤとして３００＿ＧＩが記憶されていることから、グループ音声通信を送信中であると判断する（ステップＳ２０９）。
【００８３】
グループ音声通信を送信中であると判断すると、無線通信装置１Ａの判定部３０Ａは、取得部２０Ａに対し、記憶部５００Ａのテーブル５０１Ａを参照して、グループ音声通信を送信中である第１の無線機グループに属する無線機のＵＩＤと関連付けられた位置情報と音声通信発呼許可要求の発呼先である第２の無線機１０２のＵＩＤ（１０２＿ＵＩ）と関連付けられた位置情報を取得させ、取得させた位置情報から第１の無線機グループに属する無線機の中で音声通信発呼許可要求の発呼先である第２の無線機１０２との距離が一番近い距離にある無線機を特定させる。本実施の形態２では、第２の無線機１０２の位置と一番近い距離にある第１の無線機グループに属する無線機は第１の無線機１０１である。更に、無線通信装置１Ａの判定部３０Ａは、取得部２０Ａに対し、第２の無線機１０２との距離が一番近い距離にあると特定された第１の無線機１０１の位置情報（地点Ｃ）と音声通信発呼許可要求の発呼先である第２の無線機１０２の位置情報（地点Ｄ）から第１の無線機１０１と第２の無線機１０２との間の距離を算出させ、算出させた距離を受け取る。そして、無線通信装置１Ａの判定部３０Ａは、受け取った第１の無線機グループに属する第１の無線機１０１と第２の無線機１０２との間の距離が判定部３０に記憶された所定距離以内か否かに基づいて、音量レベル制御判定と発呼許可判定をおこなう。なお本実施の形態２における所定距離は１０ｍである。本実施の形態２では、図６に示すように、第１の無線機グループに属する無線機（第１の無線機１０１）の位置と第２の無線機１０２の位置との距離は１０ｍ以内とする。このため、無線通信装置１Ａの判定部３０Ａは、第１の無線機グループに属する無線機（第１の無線機１０１）と第２の無線機１０２との距離は所定距離以内であると判断する。この結果、無線通信装置１Ａの判定部３０Ａは、第２の無線機１０２に対して音声再生の音量を制御する必要があると判定し、第３の無線機２００の音声通信発呼許可要求に対して発呼許可と判定する（ステップＳ２１０）。そして、無線通信装置１の判定部３０は、第２の無線機１０２に対する音量制御の判定結果信号と、第３の無線機２００の音声通信発呼許可要求に対する発呼許可信号を送信部４０へ出力する。
【００８４】
次に、無線通信装置１Ａの送信部４０Ａは、第２の無線機１０２の音量を制御する信号である音量レベル制御通知信号を第２の無線機１０２へ送信する（ステップＳ２１１）。音量レベル制御通知信号を受信すると、第２の無線機１０２は、例えば、画面に表示、照明の点灯、ビープ音を鳴らす等により、音声再生の音量を制御することを第２の無線機１０２の利用者に伝えると共に、第２の無線機１０２は、予め設定された低い音量で音声通信を再生する。
【００８５】
第２の無線機１０２は、音声再生の音量を制御する信号を受信することにより、第３の無線機２００との音声通信による音声再生の音量を制御する。具体的には、音声再生の音量を低く設定して再生する。なお、音量を制御する方法は、例えば、送信部４０Ａから予め判定部３０Ａに設定された音量設定値信号を送信し、第２の無線機１０２では受信した音量設定値信号に従って音量を設定する。また、音量を制御する方法は、例えば、送信部４０Ａから音量を制御する通知を送信し、第２の無線機１０２では予め第２の無線機１０２内に設定された音量データに従って音量を設定する。なお、音量を制御する方法は、これに限られない。音量を制御する方法は、周知の音量を制御する技術を使用しても良い。
【００８６】
次に、無線通信装置１Ａの送信部４０Ａは、音声通信発呼許可信号を第３の無線機２００へ送信する（ステップＳ２１２）。
【００８７】
第３の無線機２００は、音声通信発呼許可信号を受信すると、音声通信の発呼を開始する（ステップＳ２１３）。
【００８８】
第３の無線機２００の発呼が開始されると、無線通信装置１Ａの受信部１０Ａは、第３の無線機２００から音声通信信号を受信し、受信した音声通信信号を送信部４０Ａへ出力する。そして、無線通信装置１Ａの送信部４０Ａは、受け取った音声通信信号を第２の無線機１０２へ中継する（ステップＳ２１４）。
【００８９】
なお、ステップＳ２０８において、無線通信装置１Ａが、第５の無線機１０５を発呼先とした音声通信発呼許可要求信号を受信した場合について説明する。第５の無線機１０５の位置は、図６に示すように、第１の無線機グループに属する第１の無線機１０１の位置との距離が、所定距離（１０ｍ）以内ではない。この結果、無線通信装置１Ａは、音声再生の音量を制御する信号である音量レベル制御通知信号を第５の無線機１０５に送信しない。これにより、第５の無線機１０５は音声再生の音量を制御することなく音声通信を再生する。
【００９０】
次に、第４の無線機１００の利用者は、第１の無線機グループへの発呼が終了する場合、図示しないＰＴＴ（Push to Talk）ボタンを開放する。第４の無線機１００は、ＰＴＴ（Push to Talk）ボタンが開放されると、発呼先の第１の無線機グループのＧＩＤ（３００＿ＧＩ）を含むグループ音声通信発呼終了通知信号を無線通信装置１Ａへ送信する（ステップＳ２１５）。すなわち、無線通信装置１Ａの受信部１０Ａは、発呼先の第１の無線機グループのＧＩＤ（３００＿ＧＩ）を含むグループ音声通信発呼終了通知信号を第４の無線機１００から受信する。そして、無線通信装置１Ａの受信部１０Ａは、グループ音声通信発呼終了通知を判定部３０Ａへ出力する。
【００９１】
次に、無線通信装置１Ａの判定部３０Ａは、グループ音声通信発呼終了通知信号を受け取ると、ステップＳ２０３のグループ音声通信発呼許可要求により開始されたグループ音声通信の発呼が終了したと判断し、記憶部５００Ａのテーブル５０２Ａにグループ音声通信を送信中の発呼先の無線機のＧＩＤとして記録されている３００＿ＧＩをクリアする（ステップＳ２１６）。その結果、無線通信装置１Ａは、記憶部５００Ａのテーブル５０２Ａに記憶された無線機グループのＧＩＤをクリアしたことにより、記憶されていたＧＩＤの無線機グループに属する無線機に対するグループ音声通信の送信が終了したことを認識する。
【００９２】
なお、第２の無線機１０２が音声再生の音量を制御している間に、第１の無線機グループへのグループ音声通信が終了した場合、無線通信装置１Ａの判定部３０Ａは、記憶部５００Ａのテーブル５０２Ａにグループ音声通信を送信中の発呼先の無線機グループのＧＩＤが記録されていないことを確認する。そして、無線通信装置１Ａの判定部３０Ａは、第２の無線機１０２に対して音量の制御を中止する音量レベル制御中止信号を送信部４０Ａを経由して送信する。音量レベル制御中止信号受信すると、第２の無線機１０２は、例えば、画面に表示、照明の点灯、ビープ音を鳴らす等により、音量の制御を中止することを第２の無線機１０２の利用者に伝えると共に、第２の無線機１０２は、制御されない所定の音量で音声通信を再生する。
【００９３】
上記ステップＳ２０１〜Ｓ２１６により、図７に示す音声通信音量レベル制御期間において、音声通信の音声再生の音量が制御される。
【００９４】
これにより、本実施の形態２にかかる無線通信装置１Ａでは、第１の無線機グループに属する無線機（第１の無線機１０１）に対してグループ音声通信を送信している間は、第１の無線機グループに属する無線機（第１の無線機１０１）との距離が所定距離以内の無線機に対する音声通信の音声再生の音量を制御することができる。これにより、無線通信装置１Ａは、第１の無線機グループに属する無線機（第１の無線機１０１）の利用者の音声通信の音声の聞き取りを妨げず、同時に第２の無線機１０２の音声通信の音声の再生を可能にする。
【００９５】
なお、本発明は上記実施の形態に限られたものではなく、趣旨を逸脱しない範囲で適宜変更することが可能である。
【符号の説明】
【００９６】
１、１Ａ  無線通信装置
１０  １０Ａ  受信部
２０、２０Ａ  取得部
３０、３０Ａ  判定部
４０、４０Ａ  送信部
【図１】
2020137080.tif 000003
【図２】
2020137080.tif 000004
【図３】
2020137080.tif 000005
【図４】
2020137080.tif 000006
【図５】
2020137080.tif 000007
【図６】
2020137080.tif 000008
【図７】
2020137080.tif 000009